(57)【要約】【課題】  本発明は、サムネイル画像の生成を高速化することを可能にする。【解決手段】  本発明の画像処理装置は、第１の文書を記憶する第１の文書記憶手段と、当該第１の文書に記載を追加して作成した第２の文書を記憶する第２の文書記憶手段と、前記第１の文書に対する前記第２の文書の追加分を抽出する追加分解析手段と、当該第１の文書のサムネイルを記憶する第１の文書画像記憶手段と、前記追加分解析手段から前記追加分を取得し、前記追加分のサムネイルを生成し、当該サムネイルと前記第１の文書画像記憶手段に記憶されているサムネイルを合成し、合成したサムネイルを出力するサムネイル画像化手段、を備える。【選択図】      図１
2014033360.tif 000002
【特許請求の範囲】
【請求項１】
第１の文書を記憶する第１の文書記憶手段と、
当該第１の文書に記載を追加して作成した第２の文書を記憶する第２の文書記憶手段と、
前記第１の文書に対する前記第２の文書の追加分を抽出する追加分解析手段と、
当該第１の文書のサムネイルを記憶する第１の文書画像記憶手段と、
前記追加分解析手段から前記追加分を取得し、前記追加分のサムネイルを生成し、
当該サムネイルと前記第１の文書画像記憶手段に記憶されているサムネイルを合成し、合成したサムネイルを出力するサムネイル画像化手段、
を備える画像処理装置。
【請求項２】
前記第１の文書は、当該第１の文書内の位置、大きさ、形状の領域特性が特定され、追記可能な領域である追記領域を包含する文書テンプレートであり、
前記第２の文書は、前記テンプレートの前記追記領域に記載を追加して作成した文書であり、
前記追加分解析手段は、前記第２の文書の前記追記領域に相当する領域に記載があれば、当該記載および前記領域特性を前記追記分として抽出する、請求項１の画像処理装置。
【請求項３】
前記追加分解析手段は、前記第１の文書と前記第２の文書の内容を比較して、第１の文書が空白であって、第２の文書に記載がある記載領域を検出し、検出した前記記載領域を含む所定形状の抽出領域を決定し、前記第２の文書の前記抽出領域の記載と、前記抽出領域の位置、大きさを前記追記分として抽出する、請求項１の画像処理装置。
【請求項４】
第１の文書、及びそのサムネイルを記憶し、
当該第１の文書に記載を追加して作成した第２の文書を記憶し、
当該第１の文書に対する前記第２の文書との追加分を抽出し、
抽出した前記追加分のサムネイルを生成して、前記第１の文書のサムネイルと合成し、合成したサムネイルを出力する、画像処理方法。
【請求項５】
前記第１の文書は、当該第１の文書内の位置、大きさ、形状の領域特性が特定され、追記可能な領域である追記領域を包含する文書テンプレートであり、
前記第２の文書は、前記テンプレートの前記追記領域に記載を追加して作成した文書であり、
前記第２の文書の前記追記領域に相当する領域に記載があれば、当該記載および前記領域特性を前記追記分として抽出する、請求項４の画像処理方法。
【請求項６】
前記第１の文書と前記第２の文書の内容を比較して、第１の文書が空白であって、第２の文書に記載がある記載領域を検出し、検出した前記記載領域を含む所定形状の抽出領域を決定し、前記第２の文書の前記抽出領域の記載と、前記抽出領域の位置、大きさを前記追記分として抽出する、請求項４の画像処理方法。
【請求項７】
第１の文書、及びそのサムネイルを記憶するステップと、
当該第１の文書に記載を追加して作成した第２の文書を記憶するステップと、
前記第１の文書に対する前記第２の文書の追加分を抽出するステップと、
抽出した前記追加分のサムネイルを生成して、前記第１の文書のサムネイルと合成し、合成したサムネイルを出力するステップと、
をコンピュータに実行させる画像処理プログラム。
【請求項８】
前記第１の文書は、当該第１の文書内の位置、大きさ、形状の領域特性が特定され、追記可能な領域である追記領域を包含する文書テンプレートであり、
前記第２の文書は、前記テンプレートの前記追記領域に記載を追加して作成した文書であり、
前記第２の文書の前記追記領域に相当する領域に記載があれば、当該記載および前記領域特性を前記追記分として抽出するステップと、
をコンピュータに実行させる請求項７の画像処理プログラム。
【請求項９】
前記第１の文書と前記第２の文書の内容を比較して、第１の文書が空白であって、第２の文書に記載がある記載領域を検出するステップと、
検出した前記記載領域を含む所定形状の抽出領域を決定し、前記第２の文書の前記抽出領域の記載と、前記抽出領域の位置、大きさを前記追記分として抽出するステップと、
をコンピュータに実行させる請求項７の画像処理プログラム。
【発明の詳細な説明】
【技術分野】
【０００１】
本発明は、サムネイル画像の生成を高速化する画像処理装置、画像処置方法及び画像処理プログラムに関する。
【背景技術】
【０００２】
大量の画像の中から、ユーザが希望する画像を検索する場合、画像を縮小して表示するサムネイル表示が用いられる。サムネイル一覧画像を生成する技術として以下のような発明が開示されている。
【０００３】
特許文献１には、画像内の特定のオブジェクトを含むサムネイルに注目して検索を効率的に行うことができる画像処理技術が開示されている。具体的には、特定のオブジェクトを含む画像のサムネイルの表示位置及び表示サイズの少なくとも一方を決定し、それに合わせてサムネイルの一覧画像を生成する。
【先行技術文献】
【特許文献】
【０００４】
【特許文献１】特開２００９−１０５５９４号公報
【発明の概要】
【発明が解決しようとする課題】
【０００５】
しかし、特許文献１には次のような課題がある。電子文書を画像化するには、電子文書のフォーマットを解析して、オブジェクト等を抽出して画像として描画する必要があり、リアルタイムで行うには多くの時間を要する。
【０００６】
そこで、本発明は、上記課題を解決すべく、サムネイル画像の生成を高速化することを目的とする。
【課題を解決するための手段】
【０００７】
かかる目的を達成するため、本発明の画像処理装置は、第１の文書を記憶する第１の文書記憶手段と、当該第１の文書に記載を追加して作成した第２の文書を記憶する第２の文書記憶手段と、前記第１の文書に対する前記第２の文書の追加分を抽出する追加分解析手段と、当該第１の文書のサムネイルを記憶する第１の文書画像記憶手段と、前記追加分解析手段から前記追加分を取得し、前記追加分のサムネイルを生成し、当該サムネイルと前記第１の文書画像記憶手段に記憶されているサムネイルを合成し、合成したサムネイルを出力するサムネイル画像化手段、を備える。
【０００８】
また、本発明は、第１の文書、及びそのサムネイルを記憶し、当該第１の文書に記載を追加して作成した第２の文書を記憶し、当該第１の文書に対する前記第２の文書との追加分を抽出し、抽出した前記追加分のサムネイルを生成して、前記第１の文書のサムネイルと合成し、合成したサムネイルを出力する、画像処理方法を提供する。
【０００９】
さらに、本発明は、第１の文書、及びそのサムネイルを記憶するステップと、当該第１の文書に記載を追加して作成した第２の文書を記憶するステップと、前記第１の文書に対する前記第２の文書の追加分を抽出するステップと、抽出した前記追加分のサムネイルを生成して、前記第１の文書のサムネイルと合成し、合成したサムネイルを出力するステップと、をコンピュータに実行させる画像処理プログラムを提供する。
【発明の効果】
【００１０】
本発明は、サムネイル画像の生成を高速化することを可能にする。
【図面の簡単な説明】
【００１１】
【図１】本発明の第１の実施形態における画像処理装置１００の構成を示すブロック図である。
【図２】本発明の第１の文書記憶部１０に記憶されているテンプレートの例である。
【図３】本発明における追加分解析部４０の動作手順を示す図である。
【図４】本発明におけるサムネイル画像化部５０の動作手順を示す図である。
【図５】本発明の第１の実施形態の変形例における画像処理装置１００のブロック図である。
【図６】本発明の第１の実施形態の変形例における画像処理装置１００の動作手順を示す図である。
【図７】本発明の第２の実施形態における画像処理装置１００の構成を示すブロック図である。
【発明を実施するための形態】
【００１２】
＜第１の実施形態＞
以下、図面を参照して本発明による検出装置の実施形態を説明する。
ただし、以下の実施形態に記載されている構成要素はあくまでも例示であり、本発明の技術的範囲をそれらのみに限定する趣旨のものではない。
【００１３】
図１は、本発明における画像処理装置１００の構成を示すブロック図である。本発明における画像処理装置１００は、第１の文書記憶部１０、第２の文書記憶部２０、第１の文書画像記憶部３０、追加分解析部４０、サムネイル画像化部５０、表示部６０、及びサムネイル合成画像記憶部７０を包含する。
【００１４】
第１の文書記憶部１０は、文書のテンプレートを、対応する識別子とともに記憶している。第２の文書記憶部２０は第１の文書記憶部１０に記憶されているテンプレートに記載を追加して作成した文書を記憶する。なお、第１の文書記憶部１０に記憶されている各テンプレートには各々の識別子がわり振られており、第２の文書記憶部２０では、作成した文書とテンプレートの識別子を対応付けて記憶する。
【００１５】
第１の文書画像記憶部３０は、第１の文書記憶部１０に記憶されたテンプレートのサムネイルを、テンプレートの識別子と対応付けて記憶する。追加分解析部４０は、テンプレートと、そのテンプレートに記載を追加して作成した文書を比較し、追加があった場合には、その追加分（追加領域の座標と追加内容）を抽出する。
【００１６】
サムネイル画像化部５０は、追加分解析部４０から追加分（追加領域の座標と追加内容）を取得し、追加領域のサムネイル画像を作成する。続いて、サムネイル画像化部５０は、第１の文書画像記憶部３０からテンプレートのサムネイルを取得する。さらに、サムネイル画像化部５０は、取得したテンプレートのサムネイルに、作成した追加分のサムネイルを貼り付け、サムネイル合成画像を作成する。表示部６０は、サムネイル画像化部５０で合成したサムネイル合成画像を表示する。サムネイル合成画像記憶部７０は、サムネイル画像化部５０で作成したサムネイル合成画像を記憶する。
（画像処理装置１００の全体の流れについて）
ユーザは、サムネイル表示をさせたい文書を選択する。文書の選択は、追加分解析部４０に対して、文書名を入力すること等により行う。すると、画像処理装置１００は、ユーザが選択した文書を第２の文書記憶部２０から取得し、さらに、文書に対応付けられたテンプレートの識別子をもとに、該当するテンプレートを第１の文書記憶部１０から取得する。次に、画像処理装置１００は、取得したテンプレート、そのテンプレートに記載を追加して作成した文書を比較し、テンプレートに対する追加分（追加領域の座標と追加内容）を抽出し、抽出した追加領域のサムネイルを作成する。
【００１７】
続いて、画像処理装置１００は、文書に対応付けられたテンプレートの識別子をもとに、文書作成の際に使用されたテンプレートを特定し、そのサムネイルを第１の文書画像記憶部３０から取得する。さらに、画像処理装置１００は、取得したテンプレートのサムネイルに、作成した追加領域のサムネイルを貼り付け、サムネイル合成画像を作成する。作成されたサムネイル合成画像は、表示部６０に送られユーザにサムネイル表示される。さらに、サムネイル画像化部５０は、サムネイル合成画像を文書名と対応づけて、サムネイル合成画像記憶部７０に記憶する。別の文書についてもサムネイル合成画像の作成をする場合には、同様の操作を繰り返す。
（画像処理装置１００の動作手順を示す図）
図２乃至４を用いて、本実施形態における画像処理装置１００の動作手順を詳細に説明する。
【００１８】
図２は、本発明におけるテンプレートの形式を示す。テンプレートには、記載を追加するための長方形の各追加領域が存在する。当該追加領域には、その位置、大きさを示すための点が、その対角線上に２点予め設定されている。図２には、例として１つの追記領域において対角線上に存在する２点の座標を図示しているが、各々の追加領域について２点の座標が設定されている。この座標情報は、テンプレートの文書情報に付加されている。
【００１９】
図３は、追加分解析部４０の動作手順を示す図である。最初に、追加分解析部４０は、第２の文書記憶部２０からサムネイル作成を希望する文書を取得する（ステップＳ１）。次に、追加分解析部４０は、ステップＳ１で取得した文書に対応付けられているテンプレートの識別子をもとに第１の文書記憶部１０から、該当するテンプレートを取得する（ステップＳ２）。ステップＳ１で取得した文書とテンプレートを、追加領域ごとに比較し、記載追加があった追加分（追加領域の座標と追加内容）を抽出する（ステップＳ３）。その後、追加分解析部４０は、抽出した追加分をサムネイル画像化部５０に送信する（ステップＳ４）。追加分解析部４０は、作成した文書において、追記領域に相当する領域に記載があるかどうか、すなわち空白でないか、空白のままであるかで追加の有無を判断する。また、追加分解析部４０は、テンプレートと、作成した文書の画像同士を比較することにより、追加の有無を判断してもよい。追加分があれば、その追加分をサムネイル画像化部５０へ送信する。
【００２０】
図４は、サムネイル画像化部５０の動作手順を示す図である。サムネイル画像化部５０は、追加分解析部４０から、抽出された追加分を取得する（ステップＳ１１）。サムネイル画像化部５０は、追加分解析部４０から取得した追加分の情報を用いて追加領域のサムネイルを作成する。さらに、サムネイル画像化部５０は、ステップＳ１１で取得した各追加領域の座標を、サムネイル画像化部５０で与えられている縮小倍率に対応した座標を算出する（ステップＳ１２）。
【００２１】
なお、サムネイルの生成は、公知の技術を用いて行う。次に、サムネイル画像化部５０は、第１の文書画像記憶部３０から、テンプレートのサムネイルを取得する（ステップＳ１３）。さらに、サムネイル画像化部５０は、ステップＳ１３で取得したテンプレートに、追加領域のサムネイルを貼り付け、サムネイル合成画像を作成する。この時、追加領域のサムネイルを貼り付ける位置は、ステップＳ１２で算出した座標をもとに決定する（ステップＳ１４）。サムネイル画像化部５０は、作成したサムネイル合成画像を表示部６０に送信する（ステップＳ１５）。表示部６０では、ユーザに対しサムネイル表示を行う。この時、作成したサムネイル合成画像は、サムネイル合成画像記憶部７０に記憶される（ステップＳ１６）。この時、追加分解析部４０は、サムネイル合成画像の識別子を文書に関連付けて、第２の文書記憶部２０に格納する。
【００２２】
本実施形態における画像処理装置１００では、サムネイル画像の生成を高速化することを可能にする。その理由は、追加分解析部４０で文書の追加分が抽出されると、サムネイル画像化部５０でその追加領域のサムネイルが生成され、第１の文書画像記憶部３０に記憶されているテンプレートにこの追加領域のサムネイルを貼り付けることで、サムネイル合成画像が作成されるためである。
（その他の変形例）
図５は、本例における画像処理装置１００の構成を示すブロック図である。本例における画像処理装置１００は、第１の実施形態における画像処理装置１００の構成から、第１の文書記憶部１０を取り除いた構成となっている。各構成の説明は、第１の実施形態と同様のためここでは省略する。
【００２３】
ユーザが既に作成した文書の一部だけ追加して文書を作成した場合、画像処理装置１００は、作成した文書と使用したテンプレートの追加分を解析するのではなく、最新版の文書とその前の版の文書の文書同士を比較し、追加分を解析する。以下、サムネイル生成までの動作を、図６を参照して詳細に説明する。
【００２４】
最初に、追加分解析部４０は、第２の文書記憶部２０から、最新版の文書と、その前の版の文書をそれぞれ取得する（ステップＳ２１）。追加分解析部４０は、最新版の文書とその前の版の文書の特定は、例えば、文書のファイル名や、文書の作成日時等を用いて行う。次に、追加分解析部４０は、ステップＳ２１で取得した文書同士を比較し、その追加分を抽出する（ステップＳ２２）。追加分解析部４０は、追加分を、例えば、第１の文書が空白で、第２の文書に記載がある部分（記載領域)を含む最小の所定の形状、例えば、長方形として抽出する。追加分解析部４０は、抽出した追加分（追加領域の対角線上の２隅の点の座標と最新版の文書における抽出した追加領域の記載内容）をサムネイル画像化部５０に送信する。サムネイル画像化部５０は、ステップＳ２２で追加分解析部４０が抽出した追加分のサムネイルを作成する（ステップＳ２３）。サムネイル画像化部５０は、ステップＳ２３で作成した追加分のサムネイルを、前の版の文書のサムネイルに貼り付け、サムネイル合成画像を作成する（ステップＳ２４）。サムネイル画像化部５０は、作成したサムネイル合成画像を表示部６０に送信する（ステップＳ２５）。この時、サムネイル画像化部５０は、作成したサムネイル合成画像をサムネイル合成画像記憶部７０に記憶する（ステップＳ２６）。
【００２５】
本実施形態における画像処理装置１００では、サムネイル画像の生成を高速化することを可能にする。その理由は、追加分解析部４０で文書の最新版とその前の版の文書同士を比較することで、抽出する追加分が少なくなるためである。
＜第２の実施形態＞
図７は、本発明の第２の実施形態における画像処理装置１００の構成を示すブロック図である。本実施形態における画像処理装置１００は、第１の文書画像記憶部３０、追加分解析部４０、及びサムネイル画像化部５０を備える。第１の文書画像記憶部３０は、テンプレートのサムネイル画像が記憶されている。追加分解析部４０は、テンプレートと、そのテンプレートを使用して作成した文書の追加分を解析する。サムネイル画像化部５０は、追加分解析部４０から追加分を取得し、追加分のサムネイルを作成する。さらに、サムネイル画像化部５０は、作成した追加分のサムネイルと、第１の文書画像記憶部３０に記憶されているテンプレートのサムネイルを合成し、サムネイル合成画像を作成する。
【００２６】
本実施形態における画像処理装置１００では、サムネイル画像の生成を高速化することを可能にする。その理由は、追加分解析部４０で文書の追加分が解析されると、サムネイル画像化部５０でその追加分のサムネイルが生成され、さらにこの追加分のサムネイルに、第１の文書画像記憶部３０に記憶されているテンプレートのサムネイルを貼り付けることで、サムネイル合成画像が作成されるためである。
【００２７】
以上、実施形態を参照して本願発明を説明してきたが、本願発明は、上記実施形態に限定されるものではない。本願発明の構成や詳細には、本願発明のスコープ内で当業者が理解し得る様々な変更をすることができる。
【符号の説明】
【００２８】
１００    画像処理装置
１０    第１の文書記憶部
２０    第２の文書記憶部
３０    第１の文書画像記憶部
４０    追加分解析部
５０    サムネイル画像化部
６０    表示部
７０    サムネイル合成画像記憶部
【図１】
2014033360.tif 000003
【図２】
2014033360.tif 000004
【図３】
2014033360.tif 000005
【図４】
2014033360.tif 000006
【図５】
2014033360.tif 000007
【図６】
2014033360.tif 000008
【図７】
2014033360.tif 000009